【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
ゴルフクラブの位置および運動のうちの少なくとも１つに関係するデータを、前記ゴルフクラブで実行される少なくとも１回のゴルフストロークうちの、少なくとも前、最中、後のうちの１つの期間において、前記ゴルフクラブに取り付けられているポータブル電子デバイスを用いて収集する工程と、
前記データに基づき、前記ポータブル電子デバイスで、少なくとも１つのストローク特性を判定する工程と、を備える方法。
【請求項２】
前記ポータブル電子デバイスで前記データを収集する工程は、前記ゴルフクラブで実行された複数のパッティングストロークに関係するデータを、前記ポータブル電子デバイスを用いて収集する工程を含み、
前記複数のパッティングストロークは、パッティングセッションを規定する、請求項１に記載の方法。
【請求項３】
前記パッティングセッションに関連するコンシステンシスコアを判定する工程をさらに備える、請求項２に記載の方法。
【請求項４】
少なくとも１つのパッティングセッションに関連するパッティングハンディキャップを生成する工程をさらに備える、請求項３に記載の方法。
【請求項５】
前記データに基づき前記ポータブル電子デバイスで少なくとも１つのストローク特性を判定する工程は、前記データに基づき、前記ポータブル電子デバイスで、複数のストローク特性を判定する工程を含む、請求項１から４のいずれか一項に記載の方法。
【請求項６】
前記少なくとも１つのストローク特性は、前記少なくとも１つのゴルフストロークに関連する閉角、インパクト角、テンポ、インパクトライ角、およびロフト角のうちの少なくとも１つを含む、請求項１から５のいずれか一項に記載の方法。
【請求項７】
前記ポータブル電子デバイスを前記ゴルフクラブに取り付けることは、ポータブル電子デバイスホルダを、前記ゴルフクラブに取り付けることと、前記ポータブル電子デバイスを、前記ポータブル電子デバイスホルダを取り付けることと、を含む請求項１から６のいずれか一項に記載の方法。
【請求項８】
前記少なくとも１つのストローク特性に基づき、前記ポータブル電子デバイスで、ストロークタイプを識別する工程をさらに備える、請求項１から７のいずれか一項に記載の方法。
【請求項９】
前記ポータブル電子デバイスの表示上に、少なくとも１つのストローク特性に関連する視覚的表示を生成する工程をさらに備える、請求項１から８のいずれか一項に記載の方法。
【請求項１０】
ゴルフクラブの複数のパッティングストロークに関連する少なくとも１つのストローク特性を測定する工程と、
前記少なくとも１つのストローク特性に基づき、パッティングハンディキャップを生成する工程と、を備える方法。
【請求項１１】
前記少なくとも１つのストローク特性を測定する工程は、複数のパッティングストロークに関連する前記少なくとも１つのストローク特性を測定する工程を含む、請求項１０に記載の方法。
【請求項１２】
前記少なくとも１つのストローク特性を測定する工程は、閉角、インパクト角、テンポ、インパクトライ角、およびロフト角のうちの少なくとも１つを測定する工程を含む、請求項１０又は１１に記載の方法。
【請求項１３】
前記少なくとも１つのストローク特性を測定することは、ポータブル電子デバイスホルダでゴルフクラブに取り付けられているポータブル電子デバイスで前記少なくとも１つのストローク特性を測定することを含む請求項１０から１２のいずれか一項に記載の方法。
【請求項１４】
前記パッティングハンディキャップを生成する工程は、パッティングセッションに関連するコンシステンシスコアを計算する工程を含み、パッティングセッションは、複数のパッティングストロークを含む、請求項１０から１３のいずれか一項に記載の方法。
【請求項１５】
前記少なくとも１つのストローク特性に基づき、ストロークタイプを識別する工程をさらに備える、請求項１０から１４のいずれか一項に記載の方法。
【請求項１６】
前記少なくとも１つのストローク特性に関連する視覚的表示を生成する工程をさらに備える、請求項１０から１５のいずれか一項に記載の方法。
【請求項１７】
コンピュータによって実行されたときに、
ゴルフクラブの複数のパッティングストロークに関連する少なくとも１つのストローク特性を測定する工程と、
前記少なくとも１つのストローク特性に基づき、パッティングハンディキャップを生成する工程と、を備える方法を、前記コンピュータに実行させる命令が格納されているコンピュータ可読媒体。
【請求項１８】
前記少なくとも１つのストローク特性を測定する工程は、複数のパッティングストロークに関連する前記少なくとも１つのストローク特性を測定する工程を含む、請求項１７に記載のコンピュータ可読媒体。
【請求項１９】
前記少なくとも１つのストローク特性を測定する工程は、閉角、インパクト角、テンポ、インパクトライ角、およびロフト角のうちの少なくとも１つを測定する工程を含む、請求項１７又は１８に記載のコンピュータ可読媒体。
【請求項２０】
前記少なくとも１つのストローク特性を測定する工程は、ポータブル電子デバイスホルダでゴルフクラブに取り付けられているポータブル電子デバイスを用いて、前記少なくとも１つのストローク特性を測定する工程を含む、請求項１７から１９のいずれか一項に記載のコンピュータ可読媒体。
【請求項２１】
前記パッティングハンディキャップを生成する工程は、パッティングセッションに関連するコンシステンシスコアを計算する工程を含み、
パッティングセッションは、複数のパッティングストロークを含む、請求項１７から２０のいずれか一項に記載のコンピュータ可読媒体。
【請求項２２】
コンピュータによって実行されたときに前記命令は、前記少なくとも１つのストローク特性に基づき、ストロークタイプを前記コンピュータに識別させる、請求項１７から２１のいずれか一項に記載のコンピュータ可読媒体。
【請求項２３】
コンピュータによって実行されたときに前記命令は、前記少なくとも１つのストローク特性に関連する視覚的表示を、前記コンピュータに生成させる、請求項１７から２２のいずれか一項に記載のコンピュータ可読媒体。
【請求項２４】
アクセスされたときに、機器に、
ゴルフクラブの複数のパッティングストロークに関連する少なくとも１つのストローク特性を測定させ、
前記少なくとも１つのストローク特性に基づきパッティングハンディキャップを生成させるコンテンツを備える製品。
【請求項２５】
前記少なくとも１つのストローク特性を測定することは、複数のパッティングストロークに関連する前記少なくとも１つのストローク特性を測定することを含む、請求項２４に記載の製品。
【請求項２６】
前記少なくとも１つのストローク特性を測定することは、閉角、インパクト角、テンポ、インパクトライ角、およびロフト角のうちの少なくとも１つを測定することを含む、請求項２４又は２５に記載の製品。
【請求項２７】
前記少なくとも１つのストローク特性を測定することは、ポータブル電子デバイスホルダでゴルフクラブに取り付けられているポータブル電子デバイスを用いて、前記少なくとも１つのストローク特性を測定することを含む、請求項２４から２６のいずれか一項に記載の製品。
【請求項２８】
前記パッティングハンディキャップを生成することは、パッティングセッションに関連するコンシステンシスコアを計算することを含み、
パッティングセッションは、複数のパッティングストロークを含む、請求項２４から２７のいずれか一項に記載の製品。
【請求項２９】
前記コンテンツがアクセスされたときに、前記機器に、前記少なくとも１つのストローク特性に基づき、ストロークタイプを識別させる、請求項２４から２８のいずれか一項に記載の製品。
【請求項３０】
前記コンテンツがアクセスされたときに、前記マシンに、前記少なくとも１つのストローク特性に関連する視覚的表示を生成させる、請求項２４から２９のいずれか一項に記載の製品。